(57)【要約】【課題】被介助者が転落したり徘徊したりしたときにナースコール子機の押しボタンを確実に押せるようにした。【解決手段】ナースコールサポート１は、ナースコール子機１０の押しボタン１３と、バネ３２によって押しボタン１３を押す方向に付勢された押付け部材３３との間に着脱可能な介挿部材４０を配置させることで、押付け部材３３を押さえて押しボタン１３を押すことができないように規制されている。連結部材４３によって被介助者に連結された介挿部材４０が引っ張られて取り除かれると、押付け部材３３の規制が解除され、押付け部材３３によって押しボタン１３が押されてナースコールされる。【選択図】図２
2007117259.tif 000002
【特許請求の範囲】
【請求項１】
押しボタンを有したナースコール子機を収容したナースコールサポートであって、
前記押しボタンと、付勢部材によって前記押しボタンを押す方向に付勢された押付け部材との間に介挿部材を着脱可能に配置し、
前記介挿部材には、被介助者に取り付ける連結部材を接続したことを特徴とするナースコールサポート。
【請求項２】
前記介挿部材に前記押付け部材に当接する挿入係止部を設け、前記介挿部材の挿入位置を規制するようしたことを特徴とする請求項１に記載のナースコールサポート。
【請求項３】
前記介挿部材には、前記押しボタンの周部をなす前記ナースコール子機のフレーム先端面に当接させる突出部材を設け、前記介挿部材と前記押しボタンとの間に隙間を設けていることを特徴とする請求項１又は２に記載のナースコールサポート。
【発明の詳細な説明】
【技術分野】
【０００１】
本発明は、病院や介護施設などで用いられるナースコール子機用のナースコールサポートに関する。
【背景技術】
【０００２】
従来、病院、介護施設などにおいて、病人や高齢者などの被介助者がナースセンターに連絡（ナースコール）するための手段として、握り押しボタン式のナースコール子機が多く使用されている（例えば、特許文献１参照）。しかし、このようなナースコール子機では、被介助者が転落したり、ベッドから離れて徘徊したりするといった異常時において、被介助者によって押しボタンが押されることがなく、その結果、ナースセンターへの連絡が遅れるといった問題があった。
そこで、このような問題に対応するナースコールとして、例えば特許文献２に提案されているものがある。
特許文献２は、加重により作動するセンサを組み込んだシートを例えばベッド脇の床に設置したものであり、被介助者がシート上に転落したり徘徊する際にシートを踏むことによってその加重が検知され、ナースセンターに異常を連絡できるものである。
【特許文献１】特開２０００−８４０１４号公報
【特許文献２】特開平１１−２１３２６６号公報
【発明の開示】
【発明が解決しようとする課題】
【０００３】
しかしながら、上記のような従来のナースコールによれば、以下のような問題があった。
特許文献２は、被介助者が設置したシートを踏まずにまたいでしまったり、シートの範囲外に転落してしまった場合には、検知されないといった欠点がある。また、被介助者以外の人が踏んだときなどでも検知されることになり、このような異常時でない場合であってもナースコールされるといった誤報が発生する可能性があった。
このように、特許文献２や従来のナースコール子機では、転落時や徘徊時のナースコールにおいて確実性に欠けるといった問題があった。
【０００４】
本発明は、このような問題に鑑みてなされたもので、被介助者が転落したり徘徊したりしたときにナースコール子機の押しボタンを確実に押せるようにしたナースコールサポートを提供することを目的とする。
【課題を解決するための手段】
【０００５】
上記目的を達成するため、本発明に係るナースコールサポートでは、押しボタンを有したナースコール子機を収容したナースコールサポートであって、押しボタンと、付勢部材によって押しボタンを押す方向に付勢された押付け部材との間に介挿部材を着脱可能に配置し、介挿部材には、被介助者に取り付ける連結部材を接続するようにしたものである。
そのため、介挿部材が押しボタンと押付け部材との間に配置されているときには、付勢部材によって付勢されている押付け部材は、ナースコール子機の押しボタンを押せないように規制される。そして、連結部材よって被介助者に接続された介挿部材が引っ張られて取り除かれると、押付け部材の規制が解除される。そうすると、押付け部材が下方に移動して押しボタンを押し込み、ナースコール子機がＯＮになってナースコールすることができる。
【発明の効果】
【０００６】
本発明に係るナースコールサポートでは、被介助者がベッドから転落したり、ベッドから離れて徘徊したりする異常時に、被介助者が手でナースコール子機を押さなくても被介助者に連結された介挿部材が取り除かれることで、ナースコール子機の押しボタンが自動的に且つ確実に押されることになる。したがって、被介助者によって押しボタンが押されることがない場合であっても、短時間で確実にナースコールすることができる。
【発明を実施するための最良の形態】
【０００７】
また、本発明に係るナースコールサポートでは、介挿部材に押付け部材に当接する挿入係止部を設け、介挿部材の挿入位置を規制することが好ましい。
これにより、介挿部材は、押しボタンと押付け部材との間に挿入されるとき、挿入係止部が押付け部材に当接するため、それ以上押し込むことができない。このため、介挿部材の過度の挿入を抑制することができる。
【０００８】
また、本発明に係るナースコールサポートでは、介挿部材には、押しボタンの周部をなすナースコール子機のフレーム先端面に当接させる突出部材を設け、介挿部材と押しボタンとの間に隙間を設けていることが好ましい。
このような特徴により、押しボタンがフレーム先端面よりわずかに高くなっているようなナースコール子機の場合であっても介挿部材が押しボタンに接することなく、介挿部材を所定の挿入位置に配置できる。
【実施例】
【０００９】
以下、本発明の実施例によるナースコールサポートについて、図１乃至図７に基づいて説明する。
図１は本発明の実施例によるナースコールサポートの全体斜視図、図２は図１に示すナースコールサポートの一部破断分解斜視図、図３はナースコールサポートを示す縦断面図、図４はサポート本体とサポート蓋との係合状態を示す図であって、（ａ）はその分解斜視図、（ｂ）はその要部断面図、図５は介挿部材の挿入状態を示す要部拡大図、図６は図５を９０°回転させたときの水平断面図、図７（ａ）及び（ｂ）は介挿部材の着脱工程を示す側面図である。
【００１０】
図１に示す本実施例によるナースコールサポート１は、病院や介護施設において、介護を必要とする患者や高齢者などの被介助者の異常をいち早くナースセンターに連絡（ナースコール）するものであり、一般的に使用されている握り押しボタン式のナースコール子機１０（図２参照）を採用したものである。
【００１１】
先ず、このナースコール子機１０の構成について説明する。
図２に示すように、ナースコール子機１０は、被介助者が握るグリップをなす略円筒状の把持部１１と、把持部１１の先端面で二面の傾斜面が交差してなる屋根形のフレーム先端面１２と、フレーム先端面１２の略中央に配置された平面視円形をなす押しボタン１３と、把持部１１の後端に設けられたコネクタ付きの電源コード１４とから構成されている。把持部１１は、上部が断面円形を形成し、下方に向かうに従って徐々に断面楕円形になっている。
押しボタン１３の押圧面１３ａは、フレーム先端面１２と略同一の屋根形面をなし、フレーム先端面１２より露出した状態で配置されている。そして、押しボタン１３の押し込み長は、例えば５ｍｍ程度である。
【００１２】
次に、ナースコール子機１０を収容してなるナースコールサポート１の構成について説明する。
図１及び図２に示すように、ナースコールサポート１の概略の構成は、ナースコール子機１０を収容するサポート本体２０と、サポート本体２０の上部を覆うようにして蓋をするサポート蓋３０と、サポート本体２０とサポート蓋３０との間に配して着脱可能に設けた薄板状の介挿部材４０と、サポート本体２０をベッドなどの被固定部に固定させるクランプ部５０とを備えている。
なお、図２では、クランプ部５０が省略されている。
【００１３】
図１に示すように、クランプ部５０は、開放面を下方に向けた断面コの字型の挟持部５１と、挟持部５１の一側面５１ａを貫通させる締付けネジ５２と、締付けネジ５２の先端に固定した固定板５３とから構成されている。クランプ部５０は、挟持部５１をベッドなどの手摺（図示省略）の所定箇所に挟持させ、締付けネジ５２を締め込むと固定部５３によって手摺が押圧されることで、ベッドに固定することができる。
クランプ部５０には、サポート本体２０の一部分（本実施例では後述する張出支持部２２の一部）に固着されて一体化されている。このとき、サポート本体２０はベッドの外方に配置される。
【００１４】
図２に示すように、サポート本体２０は、縦方向にスリット部２１を形成した略円筒状をなし、その上部に位置する上端周面部２０ａと、上端周面部２０ａの下縁部より下方に向かって緩やかに縮径した形状をなす胴部２０ｂとからなる（図３参照）。
スリット部２１は、サポート本体２０の内部にナースコール子機１０を上方から挿入させるようにして収容させるときに、スリット部２１からナースコール子機１０の電源コード１４をサポート本体２０の内側に差し込むことができる。この電源コード１４は例えば１ｍ程度の長さを有しているため、スリット部２１を設けることで収容作業が容易になる。
なお、スリット部２１の製作については、スリットの位置、スリット巾の寸法、形成方法などを考慮し、製作過程における成形ひずみを防止させることが好ましい。
【００１５】
また、図３に示すように、サポート本体２０には、上部全周にわたって外方略水平に張り出し、その一部をクランプ部５０（図１参照）に一体に固着させて連結させる張出支持部２２が形成されている。
サポート本体２０の上端周面２０ａには、介挿部材４０を断面視でサポート本体２０の径方向に着脱可能とする所定の大きさをなす開口部２３が設けられている。
【００１６】
図３に示すように、サポート本体２０の胴部２０ｂの内面には、内側に突出して縦方向に延設された縦リブ２４が設けられている。この縦リブ２４は、下方が断面楕円形状をなすナースコール子機１０の短径方向の周部に係止することで回転防止効果を奏する。
【００１７】
図４（ａ）に示すように、サポート本体２０の上端周面２０ａには、周方向に沿って所定範囲で外方に突出したサポート係合部２５が形成されている。サポート係合部２５は、例えば平面視略９０°の角度範囲にわたって円弧状に形成され、互いに対向するように二箇所に配置されている。そして、サポート係合部２５には、その一端部２５ａから下方に突出したストッパ２６が設けられている。また、サポート係合部２５の下面の所定箇所から突出して凸型係止部２７が設けられている。これら上端周面２０ａに設けられたサポート係合部２５、ストッパ２６、凸型係止部２７については、サポート蓋３０を閉める際の構成であり、詳しくは後述するサポート蓋３０の中で説明する。
【００１８】
次に、サポート本体２０の蓋をなすサポート蓋３０について説明する。
図２及び図３に示すように、サポート蓋３０は、ドーム形状をなす天蓋部３０ａと、天蓋部３０ａの周縁部からわずかに外方に拡径しながら下方に略鉛直に延ばされた胴部３０ｂとからなる。胴部３０ｂには、開口部２３の位置に合わせて凹形状の切欠部（図示省略）が形成されている。
そして、サポート蓋３０には、天蓋部３０ａの内側中央に一端を固定したコイルバネなどのバネ３２（付勢部材）が設けられている。バネ３２の他端（下方先端）には、下端面に水平面３３ａを形成させた押付け部材３３が固定されている。
バネ３２は、ナースコール子機１０を収容したサポート本体２０にサポート蓋３０を取り付けた状態で、押付け部材３３で押しボタン１３を所定の押込み長（本実施例では５ｍｍ程度）まで押し込むことが可能な所定のバネ強さ及びバネの長さに設定しておく。
【００１９】
また、胴部３０ｂの内側には、上端周面２０ａのサポート係合部２５に係合する蓋係合部３１（図４（ａ）参照）が形成されている。
図４（ａ）に示すように、蓋係合部３１は、サポート蓋３０を上端周面２０ａにねじ込み嵌合した状態でサポート係合部２５の裏面に摺接するように、胴部３０ｂの内周面から周方向に沿った所定範囲（例えば９０°以下の範囲）で内側に突出して形成されている。そして、蓋係合部３１の上面には、前述したサポート係合部２５の凸型係止部２７に係止する溝状の凹型係止部３４が設けられている。
【００２０】
ここで、サポート蓋３０をサポート本体２０に取り付ける方法について具体的に説明する。
先ず、図４（ａ）及び（ｂ）に示すように、サポート本体２０における平面視で各サポート係合部２５，２５の間を上方から通過させるようにしてサポート蓋３０の蓋係合部３１を垂直に下降させる。そして、サポート係合部２５の裏面に沿うようにして蓋係合部３１を所定方向（図中矢印Ｆ方向）にねじ込むように回転させると、蓋係合部３１の端部３１ａがストッパ２６に当接して回転が停止する。それと共に、その停止位置で凸型係止部２７と凹型係止部３４とが係合し、サポート蓋３０をロックした状態で閉めることができる。
【００２１】
次に、サポート本体２０の開口部２３に対して着脱可能に設けた介挿部材４０について説明する。
図２及び図５に示すように、介挿部材４０には、その断面視両端から上下両方向に突出した突出部材４２が挿入方向に配設されている。このとき、介挿部材４０は、断面視で上下対象となる形状であることから、サポート本体２０へ挿入するときの上下の向きはどちらであってもよい。
【００２２】
介挿部材４０の材質は、ＡＢＳ樹脂、ポリプロピレンなどのプラスチック製の材料が使用される。すなわち、図５に示すように、介挿部材４０をサポート本体２０に挿入した状態で接する押付け部材３３やフレーム先端面１２に対して、引き抜くときに滑り易い材料であることが好ましい。なお、例えばポリエチレンなどの剛性のない材料は、バネ３２の押し付け力により押付け部材３３が介挿部材４０に馴染んで撓みが生じ、介挿部材４０を引き抜く際の抵抗が大きくなることから不適である。
また、介挿部材４０の引抜き側には、図１に示すように、先端にクリップなどの固定部材４４を設けた紐状の連結部材４３が任意の長さで取り付けられている。また、連結部材４３の途中には、連結部材４３の長さを調節する調節部４５が設けられている。固定部材４４を例えばベッド上の被介助者の衣服等に取り付けておくことで、介挿部材４０を連結部材４３を介して被介助者に連結させることができる。
【００２３】
また、図５、図６及び図７（ａ）に示すように、介挿部材４０は、サポート本体２０の開口部２３からその内側に装着された状態のとき、バネ３２によって下方に付勢された押付け部材３３が介挿部材４０の上面４０ａに当接し、移動（押し付け）が規制されている。このときバネ３２は、例えばバネ長の略１／３の状態で圧縮された状態であり、押付け部材３３が介挿部材４０に絶えず押し付け力をかけた状態となっている。
また、図５に示す押付け部材３３の先端縁部は、テーパ面３３ｂが形成されている。サポート蓋３０をサポート本体２０に閉めた状態で、介挿部材４０を押付け部材３３と押しボタン１３との間に挿入させるとき、介挿部材４０の挿入方向先端部がテーパ面３３ｂに当接して押付け部材３３を押し上げる。これにより、介挿部材４０は所定の装着位置に配置される。なお、所定位置に介挿部材４０を配置してからサポート蓋３０を取り付けてもかまわない。
【００２４】
また、図５に示すように、介挿部材４０の下面４０ｂでは、下方に突出した突出部材４２，４２が、押しボタン１３の押圧面１３ａをまたぐようにしてナースコール子機１０のフレーム先端面１２に載った状態で当接している。このとき、下面４０ｂと押圧面１３ａとの間に例えば２ｍｍ程度の隙間Ｇが設けられるため、介挿部材４０が押しボタン１３に接しない状態となる。このことから、押しボタン１３がフレーム先端面１２よりわずかに高くなっているようなナースコール子機の場合であっても介挿部材４０が押しボタン１３に接することなく、介挿部材４０を所定の挿入位置に配置できる。
【００２５】
図６に示すように、介挿部材４０の長さは、バネ３２付きの押付け部材３３を介挿部材４０によって押さえることが可能な長さであればよい（図７（ａ）参照）。すなわち、押付け部材３３が押しボタン１３への押し込みを規制できればよい。本実施例では、ナースコール子機１０のフレーム先端面１２の中央部が山形状であるため、少なくとも押付け部材３３の水平面３３ａで山形状の先端部を押せるように、押しボタン１３の外径Ｄに対して略３／４Ｄの範囲でオーバーラップするように介挿部材４０の長さが設定されている。
また、介挿部材４０の上面４０ａに所定位置に突起状のストッパ４１（挿入係止部）が設けられている（図２参照）。このストッパ４１は、介挿部材４０の挿入時に所定の位置で押付け部材３３の側面に当接するため、それ以上押し込むことができなく、過度の挿入を抑制することができる。ストッパ４１が介挿部材４０に当接した状態の介挿部材４０の挿入長さが、例えば３／４Ｄである。
さらに、介挿部材４０は、上述したように挿入時においてバネ３２によって付勢された押付け部材３３の押付け力がかかっている状態であり引き抜き時の抵抗になっている。このため、介挿部材４０の挿入長さをできるだけ短くし、両者３３，４０が接した状態での移動長さを小さくすることで、短時間で容易に引き抜くことができる。
【００２６】
次に、図７（ｂ）に示すように、連結部材４３（図１参照）が被介助者に取り付けられているため、例えば被介助者が転倒或いは徘徊したとき、介挿部材４０がサポート本体２０から矢印Ｅ方向に引き抜かれる。そうすると、介挿部材４０によって下方への押し付けが規制されていた押付け部材３３は、バネ３２の付勢により下方に移動して押しボタン１３を押し込む。これにより、ナースコール子機１０がＯＮ状態になり、ナースセンターに連絡することができる。
【００２７】
本実施例のナースコールサポートによれば、被介助者がベッドから転落したり、ベッドから離れて徘徊したりする異常時に、被介助者が手でナースコール子機１０を押さなくても、被介助者に連結された固定部材４４、連結部材４３を介して介挿部材４０が取り除かれることでナースコール子機１０の押しボタン１３が自動的に且つ確実に押されることになる。したがって、被介助者によって押しボタン１３が押されることがない場合であっても、短時間で確実にナースコールすることができる。
【００２８】
次に、実施例の変形例について、添付図面に基づいて説明するが、上述の実施例と同一又は同様な部材、部分には同一の符号を用いて説明を省略し、実施例と異なる構成について説明する。
図８は本実施例による変形例の介挿部材の着脱状態を示す図であって、（ａ）は図５に対応する図、（ｂ）は図７（ａ）に対応する図である。
本変形例は、図８（ａ）及び（ｂ）に示すように、サポート本体２０の上端周面２０ａには、開口部２３（本変形例では、第一開口部２３とする）に対向する位置に第二開口部２８が形成されている。そして、介挿部材６０は、この第一及び第二開口部２３、２８を貫通可能な長さ寸法をなしている。つまり、実施例では介挿部材４０（図６参照）を押しボタン１３に対して略３／４の範囲でオーバーラップさせているが、変形例では押しボタン１３の全面が介挿部材６０に覆われた状態になっている。
本変形例では、実施例と同様の効果を得ることができるが、本変形例の場合、サポート本体２０に挿入した介挿部材６０が第一及び第二開口部２３，２８で係止されていることから、装着状態が確実になるという利点がある。
【００２９】
以上、本発明によるナースコールサポートの実施例および変形例について説明したが、本発明は上記の実施形態に限定されるものではなく、その趣旨を逸脱しない範囲で適宜変更可能である。
例えば、本実施例及び変形例では介挿部材４０，６０の上下両面に突出部材が設けられ、介挿部材４０，６０を上下方向どちらに向けてもサポート本体２０に挿入できるものであるが、これに限定されない。介挿部材４０，６０におけるどちらか一方の面に突出部材が設けられていればよい。要は、挿入したときに突出部材がフレーム先端面１２に載置され、ナースコール子機１０の押しボタン１３に介挿部材４０，６０が当接していないように配置されていればよいのである。
また、介挿部材の長さ寸法は、実施例及び変形例の長さに限定されない。要は、介挿部材４０，６０の装着時において、押付け部材３３の移動を介挿部材４０，６０で規制し、押しボタン１３を押すことができない長さ寸法であればよいのである。
さらに、実施の形態及び変形例ではサポート本体２０にサポート蓋３０を閉める構成として、サポート本体２０側でサポート係合部２５の裏面から突出させた凸型係止部２７と、サポート蓋３０で溝状に形成された凹型係止部３４とを係合させているが、このような構成に限定されることはない。例えば、サポート蓋３０の係止部も蓋係合部３１の上面から突出させた凸型係止部とし、サポート蓋３０を閉め込んだときに、その回転力によって両凸型係止部のどちらか一方が他方を乗り越えるようにして係合させる構成としてもよい。
【図面の簡単な説明】
【００３０】
【図１】本発明の実施例によるナースコールサポートの全体斜視図である。
【図２】図１に示すナースコールサポートの一部破断分解斜視図である。
【図３】ナースコールサポートを示す縦断面図である。
【図４】サポート本体とサポート蓋との係合状態を示す図であって、（ａ）はその分解斜視図、（ｂ）はその要部断面図である。
【図５】介挿部材の挿入状態を示す要部拡大図である。
【図６】図５を９０°回転させたときの水平断面図である。
【図７】（ａ）及び（ｂ）は介挿部材の着脱工程を示す側面図である。
【図８】本実施例による変形例の介挿部材の着脱状態を示す図であって、（ａ）は図５に対応する図、（ｂ）は図７（ａ）に対応する図である。
【符号の説明】
【００３１】
１  ナースコールサポート
１０  ナースコール子機
１２  フレーム先端面
１３  押しボタン
２０  サポート本体
２２  張出支持部
２３  開口部
２８  第二開口部
３０  サポート蓋
３１  蓋係合部
３２  バネ（付勢部材）
３３  押付け部材
４０，６０  介挿部材
４１  ストッパ（挿入係止部）
４２  突出部材
４３  連結部材
４４  固定部材
５０  クランプ部
【図１】
2007117259.tif 000003
【図２】
2007117259.tif 000004
【図３】
2007117259.tif 000005
【図４】
2007117259.tif 000006
【図５】
2007117259.tif 000007
【図６】
2007117259.tif 000008
【図７】
2007117259.tif 000009
【図８】
2007117259.tif 000010